(57)【要約】【課題】屋根に落ちた落葉が、雨樋に入ることなく全て自然に落下するように、屋根材の先端から雨樋の外端部に勾配を持って簡単に着脱できるような、網状、或いは有孔の鋼板材で形成された雨樋カバーを提供することを目的とする。【解決手段】屋根材で葺かれる屋根１の下縁に取付けられた雨樋２の上面開口部を覆うための矩形状の網体からなる雨樋カバー５であって、前記網体が、鋼線を升目状に配置して雨樋カバーの長手方向の鋼線を横線５ｂ、該横線に対し直角方向の鋼線を縦線５ａとして、横線と縦線とを接合した金属網からなり、縦線を横線の上面に配して、該縦線を凸型に湾曲した形状にすることで前記網体の上面が凸型の湾曲状に形成された横断面を有し、かつ、前記網体が、前記縦線の一つの端部を下方向に２箇所曲げることでＬ字状に折り曲げられた端部が形成された一つの長辺を有することを特徴とする雨樋カバー。【選択図】図２
2010248761.tif 000002
【特許請求の範囲】
【請求項１】
屋根材で葺かれる屋根の下縁に取付けられた雨樋の上面開口部を覆うための矩形状の網体からなる雨樋カバーであって、
前記網体が、鋼線を升目状に配置して前記雨樋カバーの長手方向の鋼線を横線、該横線に対し直角方向の鋼線を縦線として、前記横線と前記縦線とを接合した金属網からなり、
前記縦線を前記横線の上面に配して、該縦線を凸型に湾曲した形状にすることで前記網体の上面が凸型の湾曲状に形成された横断面を有し、
かつ、前記網体が、前記縦線の一つの端部を下方向に２箇所曲げることでＬ字状に折り曲げられた端部が形成された一つの長辺を有することを特徴とする雨樋カバー。
【請求項２】
雨樋と該雨樋の集水器の上面開口部を覆う雨樋カバーであって、該集水器の上面開口部の幅に等しい間隔で前記網体を構成する横線が切断され、該切断された前記横線に接合されている前記縦線のＬ字状に折り曲げられた端部が、水平に延ばされたことを特徴とする請求項１記載の雨樋カバー。
【請求項３】
屋根材で葺かれる屋根の下縁に取付けられた雨樋の上面開口部を覆うため、短辺の長さがＳ、長辺の長さがＬの矩形状の有孔鋼板からなる雨樋カバーであって、
前記有孔鋼板の面が、凸型の湾曲状に形成された横断面を有し、
かつ、前記有孔鋼板の片側の長辺の端部を下方向に２箇所曲げることでＬ字状に折り曲げられた端部が形成された一つの長辺を有することを特徴とする雨樋カバー。
【請求項４】
雨樋と該雨樋の集水器の上面開口部を覆う雨樋カバーであって、
該集水器の上面開口部の幅に等しい間隔で前記有孔鋼板の長辺を切断し、該切断された前記有孔鋼板の長辺が、前記Ｌ字状に折り曲げられた端部を水平に延ばした横断面を形成することを特徴とする請求項３記載の雨樋カバー。
【発明の詳細な説明】
【技術分野】
【０００１】
本発明は、雨樋の上面開口部を覆う網状、或いは有孔鋼板材で形成された雨樋カバーに関する。
【背景技術】
【０００２】
一般的な日本の住宅の屋根は、降水量の多い気候に対応して傾斜を持たせた屋根構造を持ち、屋根を葺く屋根材も、瓦、板金材（銅板、トタン、ガルバリュウム鋼板等）、スレート等の各種の屋根材が使用されている。そして、屋根の下縁に沿って屋根に降った雨水を受けるための雨樋が鼻隠や破風板に取付けられている。図９に示すように瓦屋根１ｂに降った雨水はこの雨樋２を流れて雨樋２の端部に設けられた集水器３に集められ、縦方向に延びる配水管４を通して地面の排水溝等に流されている。
【０００３】
しかし、住宅の周辺に植えられた木々により、天候や季節の変化に伴い屋根１には雪や雨だけで無く落葉も塵も飛んで来るため、雨樋２の開口部には落葉や塵も入って来る。特に落葉の積もった屋根に雨が降ると、雨水と一緒に落葉が雨樋２に流れ込み堆積することで土壌化してしまうため、堆積した落葉の量が多くなれば配水管４の詰まりの原因となり、雨樋２の本来の目的である雨水の円滑な排水にも影響を与えることになる。そのため雨樋２に堆積した落葉を定期的に清掃する必要があるがその清掃作業は容易では無く、多くの手間と時間とを要し、雨樋２の設置場所によっては危険を伴う作業となる。
【０００４】
この雨樋２の構造から必然的に発生する落葉や塵の堆積という問題を解決するため、雨樋２の上面開口部に落葉が流れ込み堆積しないように、雨樋２の上面開口部にカバーを設けるなどの処置を施している。例えば、特許文献１、あるいは特許文献２に開示されているように、図１０にて示す雨樋の上面開口部に金網やメッシュ状の雨樋カバーを取付けることで、落葉等の侵入を防いで雨樋の本来の目的である雨水の円滑な排水と、かつ雨樋の清掃作業の軽減を実現する方法が紹介されている。
【先行技術文献】
【特許文献】
【０００５】
【特許文献１】特開平１０−７７７２４号公報
【特許文献２】特開平１０−１５９２７６号公報
【発明の概要】
【発明が解決しようとする課題】
【０００６】
しかし、上述した特許文献１、２で紹介した雨樋カバーでは、雨樋の上面開口部に取付ける際に、図１０で示すように、何れの場合も雨樋カバーを固定するため、止めネジや固定金具を用いて雨樋に固定する方法を採っている。
【０００７】
また、雨樋カバー５の取付け形状は、図１０（ａ）、（ｃ）で示すように、平らな形状と、半月状の形状が一般的で、雨樋カバーの上に積もった落葉が風等によって排除されることを期待している。しかし実際には落葉の一部が雨樋カバー上に留まり土壌化して雨樋内に堆積してしまい、雨樋２の清掃作業が必要となる。しかし、図１０（ｂ）、（ｄ）に示すように取付け金具６、７や止めネジ８によってカバーを取付けたことにより、雨樋２の清掃作業が必要となった場合には、簡単に雨樋カバー５の着脱作業ができないという問題点が生じることとなる。
【０００８】
本発明は、上記の問題点に着目し成されたもので、雨樋２への塵や落葉等が入り堆積することを防止することで雨樋２の本来の目的である雨水の円滑な排水を確保すると共に、雨樋２の清掃作業が必要となった場合には、雨樋カバー５の着脱作業をするための工具や取付け金具を必要とせず、簡単に着脱作業を実施することが可能であり、かつ従来の取付け金具による取付け方法と比較しても遜色の無い取付け強度を確保することが可能な雨樋カバーを提供することを目的とする。
【課題を解決するための手段】
【０００９】
よって本発明は、上記の目的を達成するため、以下（１）〜（４）の構成を備えるものである。
【００１０】
（１）屋根材で葺かれる屋根の下縁に取付けられた雨樋の上面開口部を覆うための矩形状の網体からなる雨樋カバーであって、前記網体が、鋼線を升目状に配置して前記雨樋カバーの長手方向の鋼線を横線、該横線に対し直角方向の鋼線を縦線として、前記横線と前記縦線とを接合した金属網からなり、前記縦線を前記横線の上面に配して、該縦線を凸型に湾曲した形状にすることで前記網体の上面が凸型の湾曲状に形成された横断面を有し、かつ、前記網体が、前記縦線の一つの端部を下方向に２箇所曲げることでＬ字状に折り曲げられた端部が形成された一つの長辺を有することを特徴とする雨樋カバー。
【００１１】
（２）雨樋と該雨樋の集水器の上面開口部を覆う雨樋カバーであって、該集水器の上面開口部の幅に等しい間隔で前記網体を構成する横線が切断され、該切断された前記横線に接合されている前記縦線のＬ字状に折り曲げられた端部が、水平に延ばされたことを特徴とする前記（１）記載の雨樋カバー。
【００１２】
（３）屋根材で葺かれる屋根の下縁に取付けられた雨樋の上面開口部を覆うため、短辺の長さがＳ、長辺の長さがＬの矩形状の有孔鋼板からなる雨樋カバーであって、前記有孔鋼板の面が、凸型の湾曲状に形成された横断面を有し、かつ、前記有孔鋼板の片側の長辺の端部を下方向に２箇所曲げることでＬ字状に折り曲げられた端部が形成された一つの長辺を有することを特徴とする雨樋カバー。
【００１３】
（４）雨樋と該雨樋の集水器の上面開口部を覆う雨樋カバーであって、該集水器の上面開口部の幅に等しい間隔で前記有孔鋼板の長辺を切断し、該切断された前記有孔鋼板の長辺が、前記Ｌ字状に折り曲げられた端部を水平に延ばした横断面を形成することを特徴とする前記（３）記載の雨樋カバー。
【発明の効果】
【００１４】
本発明の雨樋カバーを取付けることで、雨樋と集水器への塵や落葉等の流入を防止し雨樋の本来の目的である雨水の円滑な排水を確保すると共に、雨樋の清掃作業が必要となった場合であっても、雨樋カバーの着脱作業をするための工具や取付け金具を必要とせず、簡単に着脱作業を実施することが可能であり、従来の取付け金具による取付け方法と比較しても遜色の無い取付け強度を確保することが可能な雨樋カバーを提供することができる。
【図面の簡単な説明】
【００１５】
【図１】実施例１に係る雨樋カバーの形状を示す側面図
【図２】実施例１に係る雨樋カバーの斜視図
【図３】実施例１に係る雨樋カバーの取付け図
【図４】実施例１に係る雨樋カバーのスレート屋根への取付け断面図
【図５】実施例１に係る雨樋カバーの瓦屋根への取付け断面図
【図６】実施例１に係る雨樋カバーの板金材への屋根の取付け断面図
【図７】実施例２に係る雨樋カバーの雨樋集水器への取付け図と雨樋カバーの斜視図
【図８】実施例３に係る有孔鋼板の雨樋カバーの斜視図
【図９】一般的な雨樋の図
【図１０】従来の雨樋カバーの取付け例を示す図
【発明を実施するための形態】
【００１６】
以下、本発明を実施するための形態を、実施例により詳しく説明する。
【実施例１】
【００１７】
図１は、実施例１に係る雨樋カバーの形状を示す側面図である。
【００１８】
図１（ａ）は側面から見た雨樋カバー５の形状を示している。雨樋カバー５を構成する縦線５ａは凸型に湾曲した形状を持ち、右端の端部は屋根材の下に差し込み屋根材と野地板との間に挟みこむ先端部を有し、左方の端部は雨樋２の縁の内壁に圧着させるため端部を下方向に折り返してＬ字状に成形した端部を有する。縦線５ａの中央部が凸型の湾曲を持つことにより雨樋カバー５の横断面は凸型の湾曲状に形成されている。
【００１９】
図１（ｂ）は雨樋カバー５を設置する際、屋根材の下に先端部を挟み込むことで縦線５ａの湾曲部がフラットに変形すると縦線５ａの両端が変位して、先端部とＬ字状の端部では外側に押し広げる圧力となる。この圧力が雨樋２の縁の内壁に加わることで雨樋カバー５を固定する働きをすることを示している。また、縦線５ａがフラットに変形することで、雨樋カバーの上面は屋根の傾斜に沿った落葉が滑り落ちやすい形状となり、外観上も屋根との統一感が生まれる。
【００２０】
図２は雨樋カバー５の斜視図で、短辺の長さがＳ、長辺の長さがＬからなる長方形状の網体からなる。本実施例１では、強い弾力性を持つステンレス製の鋼線を縦線５ａと横線５ｂとを升目状に溶接された金属網を使用し、溶接網の上面は落葉が滑り落ちやすいように、屋根の傾斜方向と平行になる短辺には縦線５ａが来るように作成されている。また、縦線５ａと直角方向に溶接された横線５ｂの働きにより、横線５ｂに連接された夫々の縦線５ａに加わる圧力は均一な圧力に変えられる。
【００２１】
そのため、ステンレス製の網体で構成される雨樋カバー５は適度な弾力性を持ち、雨樋カバー５の片側の長辺をなす先端部を屋根材の下に挟み込むことで、湾曲した横断面にはフラットな形状に変形する圧力が加わる。湾曲した横断面に加えられた圧力は、横線５ｂに連接して接合されたＬ字状の端部を持つ長辺を雨樋の縁の内壁に圧着させる均一な圧力となって作用するため、直線状の縁を持つ殆どの雨樋に簡単に装着することができる。
【００２２】
図３は、本発明の実施例１に係る雨樋カバー５を屋根１と雨樋２との間に取付けた状態を示す斜視図である。屋根１と雨樋２の縁との距離に合わせ、短辺Ｓを構成する縦線５ａの先端部の一部を屋根材のスレート１ａと野地板１ｄとの間の挟み込む長さを変えることで奥行き幅の調整が可能となる。そして屋根１と雨樋２の間に設置された雨樋カバー５の湾曲面が屋根材の下へ挟み込まれることで、屋根の傾斜に沿ったフラットな形状となることを示したものである。
【００２３】
図１０では、従来の雨樋カバー５を取付ける際に雨樋２の開口部の縁に取付け金具６、７を用いて雨樋カバー５を取付ける方法を示した。しかし、本発明の雨樋カバー５では、屋根１を葺くスレート１ａ等の屋根材と野地板１ｄの間に雨樋カバー５の長辺の先端部を挟み込むことで雨樋カバー５の湾曲面はフラットな形状に変形し、屋根側と対向する雨樋の縁の内壁に沿ってＬ字状の端部を持つ長辺を差し込むと、網体の湾曲面を構成する夫々の縦線５ａの持つ抗力が、溶接された横線５ｂの働きで雨樋２の縁の内壁に均一な圧力となって加わり、止めネジ８や取付け金具６、７を必要としない雨樋カバー５の固定を実現している。
【００２４】
また、雨樋カバー５の長辺の先端部を屋根材と野地板１ｄとの間に挟み込むことで、雨樋カバー５の湾曲面が屋根１の勾配に沿ったフラットな傾斜となり、屋根１の斜面を滑り落ちてくる落葉や塵は雨樋カバー５の斜面に抵抗を受けることなく滑り落ちて雨樋カバー上に落葉が積もることが無い。また、雨樋２の上面開口部の全面を雨樋カバー５の長辺Ｌの幅とほぼ等しい所定の間隔で雨樋カバー５を複数取付けて雨樋２を覆うため、外観上も屋根１と屋根の下縁に設置された雨樋２との間に統一感が生まれる。なお、この雨樋カバーの設置数は、雨樋の長さにより適宜選択される。また、1個の雨樋カバーのみで雨樋を覆ってもよい。
【００２５】
図４、図５、図６は、実施例１に係る雨樋カバー５を各種の屋根材別に取付ける方法を示した断面図であり、スレート１ａ、瓦１ｂ、板金材１ｃ等の各種屋根材ごとに、屋根材の下に挟み込んで取付けた状態を示したものである。
【００２６】
図４では、屋根材のスレート１ａと野地板１ｄの縁に設けられた雨水による野地板の腐食を防止するための水切り９との間に雨樋カバー５の先端部を挟み込み、Ｌ字状の端部が雨樋２の縁の内壁に圧接される取付け状態を示している。
【００２７】
図５では、瓦１ｂの端と野地板１ｄとの間に雨樋カバー５の先端部を挟み込み、Ｌ字状の端部が雨樋２の縁の内壁に圧接される取付け状態を示している。
【００２８】
図６は、屋根材として用いるトタンや銅板等の板金材１ｃの縁に取付けられ、野地板１ｄに雨水が浸入するのを防ぐ水切り９に雨樋カバー５の先端部を押し付け、Ｌ字状の端部を雨樋２の縁の内壁に圧接される取付け状態を示している。
【００２９】
上述したように屋根材の種類が変わっても、本発明の雨樋カバー５の取付け方法は制限を受けること無く取付けることが可能である。また、屋根の傾斜に沿ってフラットに変形した縦線５ａを上面にして雨樋カバー５が取付けられるため、屋根を滑り落ちてくる落葉は雨樋カバー５の上面に留まること無く地面に滑り落ちていく。
【００３０】
また、雨樋２の清掃作業を実施する際、雨樋カバー５は、金具による固定部が無いため、雨樋カバー５のＬ字状の端部を上方に引き上げて雨樋２から外し、屋根１と野地板１ｄとの間に挟み込まれた先端部を引き抜くことで簡単に取り外すことが可能である。取付ける場合も、雨樋カバー５の先端部を屋根１と野地板１ｄとの間に差し込んだ後、Ｌ字状の端部を雨樋２の縁の内側に差し込むことで圧接されるため取付け金具を必要とせず簡単に取付けが行える。
【００３１】
雨樋カバー５を形成するステンレス製の鋼線を縦線５ａと横線５ｂの升目状に配置し溶接した溶接網を用いることで、曲げに対する柔軟性と強いしなりを持った湾曲面を実現している。そのため屋根１と雨樋２との間に取付けると、上方からの力により湾曲面がフラットな面に変形することで、夫々の縦線５ａの凸型の湾曲部の持つ抗力が、縦線５ａが溶接されている横線５ｂに働き、均一で強い圧力となって屋根１と雨樋２の縁の内壁との間に作用する。その結果、雨樋カバー５の長辺に連結された夫々の縦線５ａの両端に生じる均一な圧力は、Ｌ字状の端部を持つ雨樋カバー５の片側の長辺を雨樋２の縁に沿って圧接する均一な圧力となるため、従来の取付け金具による取付け方法と比較しても遜色の無い取付け強度を確保することが可能となる。また、ステンレス製の鋼線は錆に対する耐腐食性にも優れているため、溶接網の持つ柔軟性と強いしなりは経年劣化を起こすことが無いので取付け強度は低下しない。そのため経済効果の高い製品を提供できる。
【００３２】
以上説明したように、本発明の雨樋カバー５を取付けることで、雨樋２への落葉等の侵入を防止し雨樋２を流れる雨水の円滑な排水を確保すると共に、雨樋２の清掃作業が必要となった場合であっても簡単に着脱作業を実施することが可能であり、また、十分な取付け強度を確保することが可能な雨樋カバーを提供することができる。
【実施例２】
【００３３】
図７（ａ）は本発明の実施例２に係る集水器３の上面開口部に取付けた雨樋カバー５の取付け図で、図７（ｂ）は雨樋カバー５の形状を示す斜視図である。一般的な角型の集水器３は、図７（ａ）に示すように屋根と対向する集水器３の縁が雨樋２の縁より高く奥行きのある構造となっているため、実施例１で説明した図１（ｂ）の雨樋カバー５の形状のままでは集水器３の上面開口部を覆うことができない。
【００３４】
そのため、図７（ｂ）に示すように雨樋カバー５を集水器３の横幅に相当する間隔で横線５ｂの一部を切断し、切断された部分の横線５ｂに溶接されたＬ字状の端部の縦線５ａを湾曲に沿って水平に延ばした形状に横断面を修正する。修正した横断面を持つ雨樋カバー５を集水器３の高くなった枠の上に乗せて集水器３に落葉が入るのを防止することができる。また、図示したように雨樋カバー５の縦線５ａが集水器３の幅より長い場合は、修正した端部を下方に折り曲げることで統一感を損なわない形状にすることができる。集水器３の横幅に相当する部分を除いた雨樋カバー５のＬ字状の端部は、低い雨樋２の縁に固定されているため、集水器上面開口部を覆う雨樋カバー５を構成する夫々の縦線５ａに加わる力も、下方向に押える圧力となって作用し雨樋カバー５がずれることは無い。
【００３５】
通常の雨樋２と集水器３とは別々の部品であるのが一般的であり、屋根の形状に合わせて、角型、丸型等の集水器３と雨樋２とを組み合わせて取付けられる。そのため、夫々の集水器３の形状に合わせて雨樋カバー５を修正して取付ける必要がある。しかし、何れの場合においても、本発明の雨樋カバー５は集水器３の幅に相当する部分で横線５ｂの一部を切断し、集水器上面に相当するＬ字状の端部の縦線５ａを湾曲面に沿って水平に延ばし、集水器３の形状に合わせて修正することが可能であり、集水器３と雨樋２とを同一の雨樋カバー５で覆うことができるので外観上も統一感が損なわれることは無い。
【００３６】
以上説明したように、本発明の雨樋カバー５を取付けることで、雨樋２や集水器３への落葉等の侵入を防止し雨樋２を流れる雨水の円滑な排水を確保することができる。また、雨樋２の清掃作業が必要となった場合であっても、実施例１で説明したように簡単に雨樋カバー５の着脱作業を実施することが可能であり、また、十分な取付け強度を確保することが可能な雨樋カバーを提供することができる。
【実施例３】
【００３７】
上述した実施例１及び実施例２において、雨樋カバー５の材質をステンレス製の鋼線を升目状に溶接した溶接網を使用した雨樋カバー５を説明した。しかし、図８に示すように雨樋カバー５をパンチングメタルボードと呼ばれる有孔の金属板であるステンレス製の有孔鋼板を用いた雨樋カバー５であっても溶接網と同様の効果を得ることが可能であり、形状においても溶接網と同じＬ字状の端部を形成することができる。そのため有孔鋼板で作成された雨樋カバーの形状や機能の詳細に付いては、実施例１及び実施例２で説明した溶接網で作成した雨樋カバーと同一であるため説明は省略する。
【００３８】
尚、本実施例で示した材質や素材について、本発明の趣旨を最も良く説明するためのものであり、本発明を限定するものではない。
【００３９】
以上説明したように、本発明の雨樋カバー５を取付けることで、雨樋２や集水器３への落葉等の流入を防止し雨樋を流れる雨水の円滑な排水を確保すると共に、雨樋の清掃作業が必要となった場合であっても簡単に着脱作業を実施することが可能であり、また、十分な取付け強度を確保することが可能な雨樋カバーを提供することができる。
【符号の説明】
【００４０】
１    屋根
１ａ  スレート
１ｂ  瓦
１ｃ  板金材
１ｄ  野地板
２  雨樋
３  集水器
４  配水管
５  雨樋カバー
５ａ  縦線
５ｂ  横線
６  取付け金具
７  取付け金具
８  止めネジ
９  水切り
【図１】
2010248761.tif 000003
【図２】
2010248761.tif 000004
【図３】
2010248761.tif 000005
【図４】
2010248761.tif 000006
【図５】
2010248761.tif 000007
【図６】
2010248761.tif 000008
【図７】
2010248761.tif 000009
【図８】
2010248761.tif 000010
【図９】
2010248761.tif 000011
【図１０】
2010248761.tif 000012